(57)【要約】【課題】  機密事項を文書の一部に含んだ電子ドキュメントを画像形成装置の記憶領域に蓄積保持する際、ユーザの操作の軽減や記憶領域を節約する。【解決手段】  コンピュータ端末より画像形成装置に対し文書を蓄積する際、文書内の任意の箇所に特定の属性を付加し、認証コードと特定属性と文書内の箇所を表す情報をプリントデータに含ませ、展開手段にてページ毎に特定属性の付加要素のみで構成されるイメージと、特定属性のない要素のみで構成されたイメージとに展開し、記憶領域に蓄積し、蓄積文書をプリントする際に、操作部より、認証コードを入力させ、登録ユーザの認証コードと同じであれば、特定属性の要素のみのイメージと特定属性のない要素のみのイメージとを合成してプリントし、一方入力された認証コードが登録ユーザの認証コードと異なる場合は特定属性の要素のみのイメージを用いずに特定属性のない要素のみのイメージでプリントする。【選択図】  図９
2006159758.tif 000002
【特許請求の範囲】
【請求項１】
ネットワークに接続されたコンピュータ端末と画像形成装置において、
前記コンピュータ端末は、前記コンピュータ端末で扱われる文書を画像形成装置でプリントするためのデータに変換するプリントデータ変換手段と、
前記変換手段により変換された前記プリントデータを前記ネットワークを介して前記画像形成装置に送出する送出手段と有し、
前記画像形成装置は前記送出手段により送出された前記プリントデータを受信する受信手段と、
前記受信手段により受信した前記プリントデータをイメージに展開する展開手段と、
前記展開手段により展開されたイメージを、前記画像形成装置内に蓄積しておく蓄積手段と、
前記蓄積手段により蓄積されたイメージのプリントを指示する操作指示手段と、
前記操作指示手段により指示されたイメージをプリントするプリント手段とを有し、
前記コンピュータ端末において前記画像形成装置に対し文書を蓄積する際に、文書内の任意の箇所に特定の属性を付加し、さらに登録するユーザを表す認証コードとともに前記特定の属性と文書内の箇所を表す情報を前記プリントデータに含ませ、前記特定の属性と文書内の箇所を表すプリントデータを前記受信手段にて受信した際、前記展開手段にてページ毎に前記特定の属性が付加された要素のみで構成されるイメージと、前記特定の属性のない要素のみで構成されたイメージとに展開し、展開された前記特定の属性の要素のみのイメージと前記特定の属性のない要素のみのイメージとを前記蓄積手段に蓄積し、前記蓄積手段に蓄積した前記文書をプリントする際に、前記操作指示手段より、認証コードを入力させ、入力された認証コードがコンピュータ端末より登録したユーザの認証コードと同じであれば、前記特定の属性の要素のみのイメージと前記特定の属性のない要素のみのイメージとを合成してプリントし、一方入力された認証コードがコンピュータ端末より登録したユーザの認証コードと異なる場合は前記特定の属性の要素のみのイメージを用いずに前記特定の属性のない要素のみのイメージでプリントすることを特徴する画像形成装置システム。
【発明の詳細な説明】
【技術分野】
【０００１】
本発明は、コントローラ機能を提供する画像形成装置とコンピュータ端末からなる画像形成装置システムに関するものである。
【背景技術】
【０００２】
従来から、コンピュータ上で扱う文書を画像形成装置にプリンタドライバを使用して、画像形成装置にてすぐにプリントするのではなく、画像形成装置の記憶領域にイメージとして記憶させ複数のユーザで該当文書を共用したり、記憶させた後に必要に応じてプリントやファクス送信するという、画像蓄積機能がある。
【０００３】
又、別の従来例としては、例えば特許文献１をあげることが出来る。
【特許文献１】特開平１０−０２３２２８号公報
【発明の開示】
【発明が解決しようとする課題】
【０００４】
こうした用途において、特に複数のユーザで記憶させた文書イメージを共有する場合機密性のある文書を画像蓄積する場合、ユーザは機密事項を削除した文書を元の文書とは別に作成して登録し、さらに機密事項を含んだ文書についてプリントするための認証コードを用いて登録するという機密事項を含んだ文書と含まない文書を二重に登録するという、煩雑な操作が必要であり、また画像形成装置内の記憶領域も２文書分使用するため二重に消費するという問題があった。
【課題を解決するための手段】
【０００５】
上述した問題を解決するため、本発明に係る画像形成装置システムは、ネットワークに接続されたコンピュータ端末と画像形成装置において、前記コンピュータ端末は、前記コンピュータ端末で扱われる文書を画像形成装置でプリントするためのデータに変換するプリントデータ変換手段と、前記変換手段により変換された前記プリントデータを前記ネットワークを介して前記画像形成装置に送出する送出手段と有し、前記画像形成装置は前記送出手段により送出された前記プリントデータを受信する受信手段と、前記受信手段により受信した前記プリントデータをイメージに展開する展開手段と、前記展開手段により展開されたイメージを、前記画像形成装置内に蓄積しておく蓄積手段と、前記蓄積手段により蓄積されたイメージのプリントを指示する操作指示手段と、前記操作指示手段により指示されたイメージをプリントするプリント手段とを有し、前記コンピュータ端末において前記画像形成装置に対し文書を蓄積する際に、文書内の任意の箇所に特定の属性を付加し、さらに登録するユーザを表す認証コードとともに前記特定の属性と文書内の箇所を表す情報を前記プリントデータに含ませ、前記特定の属性と文書内の箇所を表すプリントデータを前記受信手段にて受信した際、前記展開手段にてページ毎に前記特定の属性が付加された要素のみで構成されるイメージと、前記特定の属性のない要素のみで構成されたイメージとに展開し、展開された前記特定の属性の要素のみのイメージと前記特定の属性のない要素のみのイメージとを前記蓄積手段に蓄積し、前記蓄積手段に蓄積した前記文書をプリントする際に、前記操作指示手段より、認証コードを入力させ、入力された認証コードがコンピュータ端末より登録したユーザの認証コードと同じであれば、前記特定の属性の要素のみのイメージと前記特定の属性のない要素のみのイメージとを合成してプリントし、一方入力された認証コードがコンピュータ端末より登録したユーザの認証コードと異なる場合は前記特定の属性の要素のみのイメージを用いずに前記特定の属性のない要素のみのイメージでプリントする。
【発明の効果】
【０００６】
以上説明したように、本発明によれば、ドキュメントをボックス蓄積し他のユーザと共用する際に、一部機密事項を含んだドキュメントをボックス蓄積する場合でも、機密事項ありのドキュメントと機密事項なしのドキュメントの複数のドキュメントをボックスに蓄積せずに、機密事項については他のユーザがプリントして機密情報を参照できないようにできるため、画像形成装置の記憶領域を節約でき、またユーザも複数のドキュメントを登録するという煩雑な操作を省くことができる。
【発明を実施するための最良の形態】
【０００７】
［システムの概要説明］
図１は本発明の実施系システムの構成を示すブロック図、図２は実施系システムにおける画像形成装置の構成図である。本システムが有する機能についての概要を図１、２を用いて説明する。
【０００８】
画像形成装置１０１はフルカラーでスキャンまたは、プリントなどが可能なカラースキャナ／プリンタ機器であり、内部ネットワーク１０２、画像データ転送のためのＶｉｄｅｏケーブル１０３を介して外部コントローラ１０４と接続されており、さらに外部コントローラ１０４は、もう一方の外部ネットワーク１０５を介してコンピュータ端末１０６が接続されているネットワークシステムに接続されている。
【０００９】
画像形成装置１０１は、スキャナ部２０１、プリンタ部２０２を有しており、スキャナ部２０１から読み取った画像をプリンタ部２０２にてプリントするコピー機能を備えている。また、ユーザが画像形成装置１０１の機能の実行を指示したり、機能実行時の動作設定を行ったり、またあるいは画像形成装置１０１の状態をユーザに知らせるための操作部２０３も備えている。
【００１０】
こうした画像形成装置１０１のスキャナ部２０１、プリンタ部２０２の動作や、操作部１０８からのユーザ指示／状態表示は、画像形成装置内部の装置内コントローラ２０４によって処理される。装置内コントローラ２０４では、スキャナ部２０１、プリンタ部２０２にて扱われる画像データの処理や、外部コントローラとの内部ネットワーク１０２と接続されるネットワークとのデータ送受信をも行っており、画像形成装置１０１の全体の動作制御、状態管理、画像処理は装置内コントローラ２０４で行われる。また、プリンタ部２０２の先にはステイプルなどの後処理を行うフィニッシャ部２０５が接続される。
【００１１】
また、本システムでは、コンピュータ端末１０６で作成したドキュメントをＰＤＬデータとして外部ネットワーク１０５を介して外部コントローラ１０４に送信し、外部コントローラ１０４で、受信したＰＤＬデータをイメージに展開し、画像形成装置１０１にてプリント可能なデータ形式にしてＶｉｄｅｏケーブル１０３を介して画像形成装置１０１に送信するとともに、プリント時の動作設定やＶｉｄｅｏケーブル１０３にて送出する画像データの諸情報を内部ネットワーク１０２にて通信して、プリントするというネットワークプリンタ機能も備えている。
【００１２】
さらに、本システムでは、画像形成装置１０１にてスキャンした画像をコンピュータ端末１０６に表示／保存するネットワークスキャン機能を有している。ネットワークスキャン機能はその操作形態から、プルスキャン機能／プッシュスキャン機能に大別される。プルスキャン機能はユーザがスキャン指示をコンピュータ端末１０６にて行うものであり、プッシュスキャン機能ではユーザはスキャン指示を画像形成装置１０１の操作部２０３にて行うというスキャン指示を行う形態が異なるものである。プルスキャン／プッシュスキャンいずれの機能であっても、画像形成装置１０１はユーザからの指示によって、スキャナ部２０１に予め載置された原稿画像を読み取り、読み取った画像をコンピュータ端末１０６にて扱うのに適した形式で、内部ネットワーク１０２、外部コントローラ１０４、外部ネットワーク１０５を介して、コンピュータ端末１０６に転送することによって実現される。
【００１３】
本システムの画像形成装置１０１はフルカラー画像を扱うため、プリンタ部２０２での画質向上を目的とした画質調整機能を備えている。これは画像形成装置１０１単体での濃度調整と、コンピュータ端末１０６からの電子文書のプリントとの2種類の色調整がある。
【００１４】
画像形成装置１０１単体の色調整は、プリンタ部２０２にて規程の画像をプリントし、その画像をスキャナ部２０１で読み取ることにより、プリンタ部２０２の特性を内部コントローラ２０４の画像処理にて行われる濃度調整値に反映させ、安定した画像をプリントすることができるようにしたものである。この際のプリントに用いられる規程の画像は、装置内コントローラ２０４にて生成される。
【００１５】
コンピュータ端末１０６からの電子文書のプリントにおける色調整は、外部コントローラ１０４主導で行われるもので、外部コントローラ１０４にて規程の画像を画像形成装置１０１に送信、プリントさせ、プリントされた画像をスキャナ部２０１で読み取り、読み取った画像を外部コントローラ１０４が受信することにより、外部コントローラが画像形成装置１０１の画像特性を認識できる。この認識された特性は、コンピュータ端末１０６からのＰＤＬデータをイメージに展開する際に外部コントローラ１０４が考慮する値として保持される。
【００１６】
［装置内コントローラ１０９の構成］
装置内コントローラ２０４の構成を図３を用いて説明する。装置内コントローラ２０４は、ＣＰＵ３０１、ワークメモリ３０２、画像処理部３０３、画像メモリ３０４、大容量記憶装置（以下、ＨＤＤ）３０５によって構成され、画像処理部３０３は画像信号線３０６／３０７／３０８にて、それぞれスキャナ部２０１／プリンタ部２０２、及びＶｉｄｅｏケーブル１０３を介しての外部コントローラ１０４と接続されている。またさらに画像処理部３０３は画像メモリ３０４とも接続され、画像メモリ３０４の先にはファクシミリ通信部３０６もつながっている。つまり、スキャナ部２０１より画像データを画像処理部３０３を介して画像メモリ３０４、ＨＤＤ３０５に格納し、格納された画像データは再び画像メモリ３０４、画像処理部３０３を介してプリンタ部２０２に送出される。また外部コントローラ１０４からも同様にＶｉｄｅｏケーブル１０３を介して画像データを入力できる。ファクシミリ通信部３０６に対してはファクシミリ送受信に用いられる画像データの入出力ができるようになっている。このＨＤＤ３０５への画像格納の機能を利用して、スキャナ部２０１より入力された画像、あるいは外部コントローラ１０４からＶｉｄｅｏケーブル１０３を介して入力した画像を、すぐにプリントせずにＨＤＤ３０５に蓄積しておき、ユーザがプリントまたはファクスしたいときに操作部２０３からプリント／ファクスしたり、複数のユーザ間でＨＤＤ３０５に蓄積した画像を共用するといったボックス機能も実現している。
【００１７】
ＣＰＵ３０１はＨＤＤ３０５に格納されたプログラムにしたがって動作し、またさらに操作部２０３の制御も合わせて行う。ＣＰＵ３０１は機器内のファクシミリ通信部３０６などの各処理部も制御し、さらにプリンタ部２０２／スキャナ部２０１とも画像データ送受信の同期を図るための通信を行う。同様に外部コントローラ１０４との内部ネットワーク１０２での通信のためネットワークインターフェイス部３０７にもアクセスする。
【００１８】
装置内コントローラにおいては、ＨＤＤ３０５に格納されたデータをＷｅｂサービスなどにより内部ネットワーク１０２、及び外部コントローラ１０４を介して機器の状態をコンピュータ端末１０６にて参照したり、あるいはコンピュータ端末１０６より画像形成装置１０１の設定をしたりすることが可能なリモート操作サービスを提供している。
【００１９】
［操作部２０３］
図４を用いて操作部２０３について説明する。操作部２０３にはＬＣＤ表示画面４０１があり、ここに画像形成装置１０１の設定や状況が表示される。図４においては動作設定画面４０２にてコピー画面を参考に示しており、コピー時のズーム設定や給紙段設定、印刷部数などが表示されている。動作設定画面４０２は機能キー４０３によって、ファクシミリ機能や、外部コントローラ１０４からのプリント機能の画面に遷移することができる。またＬＣＤ表示画面４０１下部には、画像形成装置１０１の状態や、選択している機能画面以外の機能の状況を示すステイタスメッセージ表示部４０４があり、さらに右下部には、画像形成装置１０１の状態や、選択している機能画面以外の機能の状況についての詳細を参照する画面に遷移するシステム状況キー４０５がある。
【００２０】
またＬＣＤ表示画面４０１の他に数値設定を入力するテンキー４０６がある。さらに画像形成装置１０１においてコピーやファクスなどの各機能を使用する際に、使用するユーザを判別するためのＩＤを入力する画面に遷移するＩＤキー４０７も設けられている。リセットキー４０８は動作設定画面４０２を規定機能に戻すものであり、詳細設定キー４０９は画像形成装置１０１の動作設定の詳細やネットワーク設定などを行う画面に遷移するためのものある。スタートキー４１０、ストップキー４１１は各機能の動作開始や中止を行うためのボタンである。
【００２１】
［スキャナ部１０６の構成］
図５を用いてスキャナ部２０１の構成を説明する。５０１は原稿台ガラスであり、読み取られるべき原稿５０２が置かれる。原稿５０２は照明ランプ５０３により照射され、その反射光はミラー５０４、５０５、５０６を経て、レンズ５０７によりＣＣＤ５０８上に結像される。ミラー５０４、照明ランプ５０３を含む第１ミラーユニット５１０は速度ｖで移動し、ミラー５０５、５０６を含む第２ミラーユニット５１１は速度１／２ｖで移動することにより、原稿５０２の全面を走査する。第１ミラーユニット５１０及び第２ミラーユニット５１１はモータ５０９により駆動する。スキャナ部２０１の各ユニット５１０、５１１の動作はスキャナコントローラ部５１２からの信号によって制御される。スキャナコントローラ部５１２は内部コントローラ２０４からの指示に応じて、各ユニット５１０、５１１の動作制御を行う。
【００２２】
次に図６を用いてスキャナコントローラ部５１２での画像処理について説明する。入力された光学的信号がＣＣＤセンサ６０１により電気信号に変換される。このＣＣＤセンサ６０１はＲＧＢラインのカラーセンサであり、Ｒ／Ｇ／Ｂそれぞれの画像信号としてＡ／Ｄ変換部６０２に入力される。ここでゲイン調整、オフセット調整をされた後、Ａ／Ｄコンバータで、各色信号毎に８ｂｉｔのデジタル画像信号Ｒ０，Ｇ０，Ｂ０に変換される。その後、６０３のシェーディング補正で色ごとに、基準白色板の読み取り信号を用いた、公知のシェーディング補正が施される。更に、ＣＣＤセンサ６０１の各色ラインセンサは、相互に所定の距離を隔てて配置されているため、ラインディレイ調整回路（ライン補間部）６０４において、副走査方向の空間的ずれが補正される。
【００２３】
次に、入力マスキング部６０５は、ＣＣＤセンサ６０１のＲ／Ｇ／Ｂフィルタの分光特性で決まる読取色空間を、ＮＴＳＣの標準色空間に変換する部分であり、ＣＣＤセンサ６０１の感度特性／照明ランプのスペクトル特性等の諸特性を考慮した装置固有の定数を用いた３ｘ３のマトリックス演算を行い、入力された（Ｒ０，Ｇ０，Ｂ０）信号を標準的な（Ｒ，Ｇ，Ｂ）信号に変換する。更に、輝度／濃度変換部（ＬＯＧ変換部）６０６はルックアップテーブル（ＬＵＴ）により構成され、ＲＧＢの輝度信号がＣ１，Ｍ１，Ｙ１の濃度信号になるように変換される。変換された信号は、装置内コントローラ部１０９に送出される。
【００２４】
［プリンタ部１０７の構成］
図７に、プリンタ部の概観図を示す。７０１は、半導体レーザ駆動部を持つポリゴンミラーであり、発光された４本のレーザ光を受ける。その内の１本はミラー７０２、７０３、７０４をへて感光ドラム７０５を走査し、次の１本はミラー７０６、７０７、７０８をへて感光ドラム７０９を走査し、次の1本はミラー７１０、７１１、７１２をへて感光ドラム７１３を走査し、次の1本はミラー７１４、７１５、７１６をへて感光ドラム７１７を走査する。
【００２５】
一方、７１８はイエロー（Ｙ）のトナーを供給する現像器であり、レーザ光に従い、感光ドラム７０５上にイエローのトナー像を形成し、７１９はマゼンタ（Ｍ）のトナーを供給する現像器であり、レーザ光に従い、感光ドラム７０９上にマゼンタのトナー像を形成し、７２０はシアン（Ｃ）のトナーを供給する現像器であり、レーザ光に従い、感光ドラム７１３上にシアンのトナー像を形成し、７２１はブラック（Ｋ）のトナーを供給する現像器であり、レーザ光に従い、感光ドラム７１７上にブラックのトナー像を形成する。以上４色（Ｙ，Ｍ，Ｃ，Ｋ）のトナー像がシートに転写され、フルカラーの出力画像を得ることができる。
【００２６】
シートカセット７２２、７２３および、手差しトレイ７２４のいずれかより給紙されたシートは、レジストローラ７２５を経て、転写ベルト７２６上に吸着され、搬送される。給紙のタイミングと同期がとられて、予め感光ドラム７０５、７０９、７１３、７１７には各色のトナーが現像されており、シートの搬送とともに、トナーがシートに転写される。各色のトナーが転写されたシートは、分離され、搬送ベルト７２７により搬送され、定着器７２８によって、トナーがシートに定着される。定着器７２８を抜けたシートはフラッパ７２９により一旦下方向へ導かれてシートの後端がフラッパ７２９を抜けた後、スイッチバックさせて排出する。これによりフェイスダウン状態で排出され、先頭頁から順にプリントしたときに正しいページ順となる。
【００２７】
なお、4つの感光ドラム７０５、７０９、７１３、７１７は、距離ｄをおいて、等間隔に配置されており、搬送ベルト７２４により、シートは一定速度ｖで搬送されており、このタイミング同期がなされて、ポリゴンミラー７０１の半導体レーザは駆動される。
【００２８】
［フィニッシャ部２０５の構成］
図８に、フィニッシャ部２０５の概観図を示す。プリンタ部２０２の定着部７２８を出たシートは、フィニッシャ部２０５に入る。フィニッシャ部２０５には、サンプルトレイ８０１及びスタックトレイ８０２があり、ジョブの種類や排出されるシートの枚数に応じて切り替えて排出される。
【００２９】
ソート方式には２通りあり、複数のビンを有して各ビンに振り分けるビンソート方式と、後述の電子ソート機能とビン（または、トレイ）を奥手前方向にシフトしてジョブ毎に出力シートを振り分けるシフトソート方式によりソーティングを行うことができる。電子ソート機能は、コレートと呼ばれ、前述のコア部で説明した大容量メモリを持っていれば、このバッファメモリを利用して、バッファリングしたページ順と排出順を変更する、いわゆるコレート機能を用いることで電子ソーティングの機能もサポートできる。次にグループ機能は、ソーティングがジョブ毎に振り分けるのに対し、ページ毎に仕分けする機能である。
【００３０】
更に、スタックトレイ８０２に排出する場合には、シートが排出される前のシートをジョブ毎に蓄えておき、排出する直前にステープラ８０５にてバインドすることも可能である。
【００３１】
そのほか、上記２つのトレイに至るまでに、紙をＺ字状に折るためのＺ折り機８０４、ファイル用の２つ(または３つ)の穴開けを行うパンチャ８０６があり、ジョブの種類に応じてそれぞれの処理を行う。
【００３２】
更に、サドルステッチャ８０７は、シートの中央部分を2ヶ所バインドした後に、シートの中央部分をローラに噛ませることによりシートを半折りし、週刊誌やパンフレットのようなブックレットを作成する処理を行う。サドルステッチャ８０７で製本されたシートは、ブックレットトレイ８０８に排出される。
【００３３】
そのほか、図には記載されていないが、製本のためのグルー（糊付け）によるバインドや、あるいはバインド後にバインド側と反対側の端面を揃えるためのトリム（裁断）などを加えることも可能である。
【００３４】
また、インサータ８０３はトレイ８０９にセットされたシートをプリンタへ通さずにトレイ８０１、８０２、８０８のいずれかに送るためのものである。これによってフィニッシャ２０５に送り込まれるシートとシートの間にインサータ８０３にセットされたシートをインサート（中差し）することができる。インサータ８０３のトレイ８０９にはユーザによりフェイスアップの状態でセットされるものとし、ピックアップローラ８１０により最上部のシートから順に給送する。従って、インサータ８０３からのシートはそのままトレイ８０１、８０２へ搬送することによりフェイスダウン状態で排出される。サドルステッチャ８０７へ送るときには、一度パンチャ８０６側へ送り込んだ後スイッチバックさせて送り込むことによりフェースの向きを合わせる。
【００３５】
次に、本実施例における機密事項を含んだドキュメントのボックス蓄積／プリント方法について説明する。
【００３６】
図９のＳ９０１にて、ユーザは機密事項を含んだドキュメントの機密箇所を設定する。図１０に示すようにコンピュータ端末１０６においてユーザが所望する機密事項を含んだドキュメントのボックス蓄積実行時の画面である。この画面においてユーザはドキュメント１００１の機密部分に対し、文章であればそのテキスト範囲を１００２のように文字反転させるなどして指定し、図形／イメージであればその領域を１００３のように指定する。機密指定されたテキスト、図形／イメージを以下、機密指定オブジェクトと呼ぶことにする。
【００３７】
続いてＳ９０２にてユーザが図１１のコンピュータ端末１０６のプリンタドライバ画面１１０１にて、ユーザを判別するためのユーザＩＤ１１０２を入力して、実行キー１１０３を押下すると、機密指定オブジェクトはプリンタドライバを介して、印刷ドキュメントのＰＤＬに含まれて外部コントローラ１０４にユーザＩＤ１１０２とともに送出される。
【００３８】
Ｓ９０３で外部コントローラ１０４はコンピュータ端末１０６より受信したＰＤＬを解釈しページ単位の画像をつくる。この際、図１２のように機密オブジェクトが存在するページは機密オブジェクトのみの画像で構成されたページ１２０１と、機密オブジェクト以外の画像で構成されたページ１２０２とを作成する。この機密オブジェクトがあるページを以下機密ページと呼ぶ。
【００３９】
そしてＳ９０４で、画像形成装置１０１の装置内コントローラ２０４に機密ページをＶｉｄｅｏケーブル１０３で転送する際に、まず、機密オブジェクト以外で構成されたページを送るともに、機密ページである属性が装置内コントローラ２０４に内部ネットワーク１０２を介して通知される。
【００４０】
続いてＳ９０５にて、装置内コントローラ２０４は機密ページのうち機密オブジェクトのみで構成されたページをＶｉｄｅｏケーブル１０３を介して受信し、Ｓ９０６でＨＤＤ３０５に機密ページである属性とともに、機密オブジェクト以外で構成された画像と、機密オブジェクトのみで構成された画像とを蓄積する。
【００４１】
Ｓ９０７でユーザが操作部２０３より、機能キー４０３にてボックス機能を選択し、Ｓ９０１〜Ｓ９０６でボックスに蓄積した機密ページを含んだドキュメントを選択した場合、Ｓ９０８でユーザを判別するＩＤの入力を促す画面を図１３の１３０１のように操作部２０３の動作設定画面４０２に表示させる。そしてテンキー４０６によって入力されたＩＤが、Ｓ９０２で登録されたＩＤと同じであれば、Ｓ９０９で、ボックス機能画面でプリント指示された場合、装置内コントローラ２０４は該当ドキュメントをＨＤＤ３０５が順次画像メモリ３０４に読み出し、画像処理部３０３を介してプリンタ部２０２に送出する。このとき機密ページであった場合は、画像メモリ３０４に機密オブジェクト以外で構成された画像と、機密オブジェクトのみで構成された画像とを読み出し、画像処理部３０３で合成処理を行い、機密事項を含んだ１つのページにした上で、プリンタ部２０２に画像を送出する。このＳ９０９の手順を行うことによって機密事項を含んだ画像のプリントが行われる。
【００４２】
一方、Ｓ９０８で入力されたユーザＩＤがＳ９０２で登録されたユーザＩＤと異なる場合、Ｓ９１０において装置内コントローラ２０４は該当ドキュメントをＨＤＤ３０５から読み出し、機密ページであった場合に機密オブジェクト以外で構成された画像のみを画像メモリ３０４、画像処理部３０３を解してプリンタ部２０２に送出する。このＳ９１０の手順により、機密事項を含まない画像のプリントが行える。
【図面の簡単な説明】
【００４３】
【図１】本発明の実施形態のシステム全体を示す図。
【図２】画像形成装置全体のブロック図。
【図３】画像形成装置内のコントローラのブロック図。
【図４】画像形成装置の操作部を示す図。
【図５】画像形成装置のスキャナ部を示す図。
【図６】画像形成装置のスキャナコントローラのブロック図。
【図７】画像形成装置のプリンタ部を示す図。
【図８】画像形成装置のフィニッシャ部を示す図。
【図９】本発明の実施例を示すフローチャート。
【図１０】機密箇所設定画面例を示す図。
【図１１】機密を含む文書のボックス蓄積実行時の画面例を示す図。
【図１２】機密ページを展開したイメージを示す図。
【図１３】ボックス蓄積文書を選択した際の操作部画面例を示す図。
【図１】
2006159758.tif 000003
【図２】
2006159758.tif 000004
【図３】
2006159758.tif 000005
【図４】
2006159758.tif 000006
【図５】
2006159758.tif 000007
【図６】
2006159758.tif 000008
【図７】
2006159758.tif 000009
【図８】
2006159758.tif 000010
【図９】
2006159758.tif 000011
【図１０】
2006159758.tif 000012
【図１１】
2006159758.tif 000013
【図１２】
2006159758.tif 000014
【図１３】
2006159758.tif 000015